(57)【特許請求の範囲】
【請求項１】
音声信号を入力し、前記音声信号にフィルタ処理を施して出力するフィルタであって、
自身の位相周波数特性と自身の振幅周波数特性とを独立して変更可能に構成され、
表示装置の同一の画面上に位相周波数特性曲線と振幅周波数特性曲線とを表示させ、前記位相周波数特性曲線によって表される位相周波数特性に基づいて前記自身の位相周波数特性を前記自身の振幅周波数特性とは独立して変更させるとともに、前記振幅周波数特性曲線によって表される振幅周波数特性に基づいて前記自身の振幅周波数特性を前記自身の位相周波数特性とは独立して変更させるように構成され、
横軸を周波数とし、縦軸を位相とした第１のグラフ表示領域を前記画面上に表示させるとともに、この第１のグラフ表示領域に前記位相周波数特性曲線を表示させ、この第１のグラフ表示領域に表示された前記位相周波数特性曲線を変更させる操作のために用いられる第１の変更手段を前記画面上に表示させ、
前記第１の変更手段の操作に応じて、前記第１のグラフ表示領域に表示された前記位相周波数特性曲線を変更するように構成された、フィルタ。
【請求項２】
前記第１の変更手段を前記第１のグラフ表示領域に表示させるように構成された、請求項１に記載のフィルタ。
【請求項３】
前記第１の変更手段は、前記第１のグラフ表示領域に表示された操作子であって、かつ中心周波数と周波数帯域幅と中心周波数の位相角度とのそれぞれに対応する操作子からなり、前記操作子を操作することにより、中心周波数と周波数帯域幅と中心周波数の位相角度とが１または複数組指定され、この指定により前記位相周波数特性曲線を表示させるように構成された、請求項２に記載のフィルタ。
【請求項４】
前記第１のグラフ表示領域に表示された前記位相周波数特性曲線自体が前記第１の変更手段である、請求項２に記載のフィルタ。
【請求項５】
音声信号を入力し、前記音声信号にフィルタ処理を施して出力するフィルタであって、
自身の位相周波数特性と自身の振幅周波数特性とを独立して変更可能に構成され、
表示装置の同一の画面上に位相周波数特性曲線と振幅周波数特性曲線とを表示させ、前記位相周波数特性曲線によって表される位相周波数特性に基づいて前記自身の位相周波数特性を前記自身の振幅周波数特性とは独立して変更させるとともに、前記振幅周波数特性曲線によって表される振幅周波数特性に基づいて前記自身の振幅周波数特性を前記自身の位相周波数特性とは独立して変更させるように構成され、
横軸を周波数とし、縦軸を位相とした第１のグラフ表示領域を前記画面上に表示させ、前記第１のグラフ表示領域への描画操作に応じて、前記位相周波数特性曲線を表示させるように構成された、フィルタ。
【請求項６】
横軸を周波数とし、縦軸をゲインとした第２のグラフ表示領域を前記画面上に表示させるとともに、この第２のグラフ表示領域に前記振幅周波数特性曲線を表示させ、この第２のグラフ表示領域に表示された前記振幅周波数特性曲線を変更させる操作のために用いられる第２の変更手段を前記画面上に表示させ、
前記第２の変更手段の操作に応じて、前記第２のグラフ表示領域に表示された前記振幅周波数特性曲線を変更するように構成された、請求項１に記載のフィルタ。
【請求項７】
前記第２の変更手段を前記第２のグラフ表示領域に表示させるように構成された、請求項６に記載のフィルタ。
【請求項８】
前記第２の変更手段は、前記第２のグラフ表示領域に表示された操作子であって、かつ中心周波数と周波数帯域幅とゲインとのそれぞれに対応する操作子からなり、前記操作子を操作することにより、中心周波数と周波数帯域幅とゲインとが１または複数組指定され、この指定により前記振幅周波数特性曲線を表示させるように構成された、請求項７に記載のフィルタ。
【請求項９】
前記第２のグラフ表示領域に表示された前記振幅周波数特性曲線自体が前記第２の変更手段である、請求項７に記載のフィルタ。
【請求項１０】
横軸を周波数とし、縦軸をゲインとした第２のグラフ表示領域を前記画面上に表示させ、前記第２のグラフ表示領域への描画操作に応じて、前記振幅周波数特性曲線を表示させるように構成された、請求項５に記載のフィルタ。
【発明の詳細な説明】
【技術分野】
【０００１】
本発明は、音声信号の周波数特性（振幅周波数特性及び位相周波数特性）のうちの少なくとも位相周波数特性を調整するフィルタに関する。
【背景技術】
【０００２】
従来、音響装置では、そのシステム全体の振幅周波数特性及び位相周波数特性が平坦な直線状になるようにイコライズするために、ＦＩＲ（有限インパルス応答）フィルタを用いているものがある。なお、位相周波数特性とは、一般に位相特性などと言われるものであって、周波数を横軸に位相を縦軸に記して表される特性のことを言う。また、振幅周波数特性とは、オーディオ業界において一般に周波数特性などと言われるものであって、周波数を横軸に振幅を縦軸に記して表される特性のことを言う。
【０００３】
例えば、特許文献１には、ＦＩＲフィルタが用いられて、スピーカから出力される音響の位相周波数特性が直線性を有するようにＦＩＲフィルタの係数が設定された構成が記載されている。
【０００４】
一方、特許文献２には、オペアンプを用いて構成された１８０度移相回路を少なくとも３段縦続接続した構成とし、可聴周波数の範囲における周波数の対数的な増加に対応して音声入力信号の位相を漸次遅らせて可聴周波数の範囲においてトータルで４５０度〜６００度の範囲の位相遅れを発生する位相周波数特性をもつ音質改善回路が示されている。
【先行技術文献】
【特許文献】
【０００５】
【特許文献１】特開２０００−９１８６５号公報
【特許文献２】特開２００５−１４３０９３号公報
【発明の概要】
【発明が解決しようとする課題】
【０００６】
上記の特許文献１の技術では、スピーカから出力される音響の位相周波数特性が直線性を有するように設定されている。また、特許文献２の技術では、周波数の対数的な増加に対応して直線的な傾きで位相を遅らせるように構成されている。このようにこれらの従来技術では、予めどのような位相周波数特性にするかが定められているため、種々の用途に応じた音質の調整を行うための構成としては不向きである。
【０００７】
本発明は上記のような課題を解決するためになされたもので、種々の用途に応じた音質の調整が可能になるフィルタを提供することを目的としている。
【課題を解決するための手段】
【０００８】
上記目的を達成するために、本発明のフィルタは、音声信号を入力し、前記音声信号にフィルタ処理を施して出力するフィルタであって、自身の位相周波数特性と自身の振幅周波数特性とを独立して変更可能に構成され、表示装置の同一の画面上に所望の位相周波数特性曲線と所望の振幅周波数特性曲線とを表示させ、前記所望の位相周波数特性曲線によって表される位相周波数特性に基づいて前記自身の位相周波数特性を前記自身の振幅周波数特性とは独立して変更させるとともに、前記所望の振幅周波数特性曲線によって表される振幅周波数特性に基づいて前記音声信号の振幅周波数特性を位相周波数特性とは独立して変更させるように構成されている。
【０００９】
また、前記表示装置の画面上に表示された位相周波数特性曲線上の操作子であって、中心周波数と周波数帯域幅と中心周波数の位相角度とのそれぞれに対応する前記操作子を操作することにより、中心周波数と周波数帯域幅と中心周波数の位相角度とが１または複数組指定され、この指定により前記所望の位相周波数特性曲線を表示させるように構成されていてもよい。
【００１０】
また、前記表示装置の画面上に描画することにより前記所望の位相周波数特性曲線を表示させるように構成されていてもよい。
【００１１】
また、前記表示装置の画面上に予め表示される位相周波数特性曲線を操作することにより前記所望の位相周波数特性曲線を表示させるように構成されていてもよい。
【００１２】
また、前記表示装置の画面上に表示された位相周波数特性曲線上の操作子であって、中心周波数と周波数帯域幅と中心周波数の位相角度とのそれぞれに対応する前記操作子を操作することにより、中心周波数と周波数帯域幅と中心周波数の位相角度とが１または複数組指定され、この指定により前記所望の位相周波数特性曲線を表示させるとともに、前記表示装置の画面上に表示された振幅周波数特性曲線上の操作子であって、中心周波数と周波数帯域幅と利得とのそれぞれに対応する前記操作子を操作することにより、中心周波数と周波数帯域幅と利得とが１または複数組指定され、この指定により前記所望の振幅周波数特性曲線を表示させるように構成されていてもよい。
【００１３】
また、前記表示装置の画面上に描画することにより前記所望の位相周波数特性曲線を表示させるとともに、前記表示装置の画面上に描画することにより前記所望の振幅周波数特性曲線を表示させるように構成されていてもよい。
【００１４】
また、前記表示装置の画面上に予め表示される位相周波数特性曲線を操作することにより前記所望の位相周波数特性曲線を表示させるとともに、前記表示装置の画面上に予め表示される振幅周波数特性曲線を操作することにより前記所望の振幅周波数特性曲線を表示させるように構成されていてもよい。
【発明の効果】
【００１５】
本発明は、以上に説明した構成を有し、種々の用途に応じた音質の調整が可能になるフィルタを提供することができるという効果を奏する。
【００１６】
本発明の上記目的、他の目的、特徴、及び利点は、添付図面参照の下、以下の好適な実施態様の詳細な説明から明らかにされる。
【図面の簡単な説明】
【００１７】
【図１】図１は、本発明の実施の形態のフィルタを用いた音響装置の一例を示すブロック図である。
【図２】図２は、本発明の実施の形態のフィルタの一構成例であるＦＩＲフィルタを示す回路図である。
【図３】図３は、本発明の実施の形態のフィルタの位相特性と振幅特性とを独立して変更するための第１構成例の入力手段の表示画面を示す図である。
【図４】図４は、本発明の実施の形態のフィルタの位相特性と振幅特性とを独立して変更するための第２構成例の入力手段の表示画面を示す図である。
【図５】図５は、本発明の実施の形態のフィルタの位相特性と振幅特性とを独立して変更するための第６構成例の入力手段の表示画面を示す図である。
【図６】図６は、本発明の実施の形態のフィルタの位相特性と振幅特性とを独立して変更するための第７構成例の入力手段の表示画面を示す図である。
【図７】図７は、本発明の実施の形態のフィルタの位相特性と振幅特性とを独立して変更するための第８構成例の入力手段の表示画面を示す図である。
【発明を実施するための形態】
【００１８】
以下、本発明の好ましい実施の形態を、図面を参照しながら説明する。
【００１９】
図１は、本発明の実施の形態のフィルタを用いた音響装置の一例を示すブロック図である。
【００２０】
この音響装置には、フィルタ１と、その出力端子ＯＵＴに接続されたＤ／Ａ（デジタル／アナログ）変換器２と、Ｄ／Ａ変換器２に接続された増幅器３と、増幅器３に接続されたスピーカ４と、押しボタン等による入力手段５とが備えられている。
【００２１】
フィルタ１では、デジタル信号処理が行われ、その入力端子ＩＮには、例えばマイクロホンから出力されるアナログ音声信号がＡ／Ｄ変換されたデジタル音声信号、あるいはＣＤプレーヤ等の記録媒体再生装置から出力されるデジタル音声信号が入力される。フィルタ１にて後述する処理が施された信号は、Ｄ／Ａ変換器２に入力されてアナログ信号に変換され、さらに増幅器３によって電力増幅されてスピーカ４へ出力され、スピーカ４から拡声音として出力される。
【００２２】
フィルタ１では、入力端子ＩＮから入力されるデジタル音声信号を、可聴周波数の範囲（２０Ｈｚ〜２０ｋＨｚ）内における一部の所定の周波数範囲における位相を所定角度ずらして出力するように構成されている。
【００２３】
フィルタ１は、例えばＤＳＰ（デジタル信号プロセッサ）からなり、例えば図２に示すようなＦＩＲ（有限インパルス応答）フィルタとして機能する。このＦＩＲフィルタには、ｎ個の縦続接続された遅延回路１１と、（ｎ＋１）個の乗算器１２と、加算器１３とを備えている。各遅延回路１１では、それぞれの入力信号をサンプリング周期だけ遅延させて出力し、各乗算器１２では、それぞれに対応して設定されるフィルタ係数ｈｋ（ｋ＝０〜ｎ）を入力信号に乗算して出力し、各乗算器１２の出力が加算器１３で加算されて出力される。このようなＦＩＲフィルタを用いれば、フィルタ係数ｈｋ（ｋ＝０〜ｎ）を設定することによって振幅周波数特性（以下、「振幅特性」という）と位相周波数特性（以下、「位相特性」という）とを独立して設定することができる。
【００２４】
ここで、位相特性とは、周波数を横軸に位相を縦軸に記して表される特性のことを言う。また、振幅特性とは、周波数を横軸に振幅（例えば、ゲイン）を縦軸に記して表される特性のことを言う。
【００２５】
また、種々の用途に応じたフィルタ係数が予め記憶されているメモリ（図示せず）をフィルタ１に内蔵しておき、入力手段５を操作することによって、ある用途に応じたフィルタ係数が選択され、この選択されたフィルタ係数がメモリから読み出されて各乗算器１２の利得として設定される。例えば、入力端子ＩＮにマイクロホンからの音声信号がＡ／Ｄ変換されて入力される場合であって、そのマイクロホンをスピーチに使用する場合や、非常用のアナウンスを行うために使用する場合など、また、入力端子ＩＮにＣＤプレーヤ等の記録媒体再生装置から出力されるデジタル音声信号が入力される場合などの種々の用途に応じたフィルタ係数が、予めフィルタ１内のメモリに記憶されている。
【００２６】
本実施の形態では、フィルタ１にて、音声信号の所定の周波数範囲における位相を所定角度ずらす、例えば、ある周波数の位相を遅らせる、あるいは進めることにより、スピーカ４から出力される音質の調整を行うことが可能になる。また、位相をずらす所定の周波数範囲が複数設定され、それぞれの所定の周波数範囲に対応して位相をずらす角度がそれぞれ設定されていてもよい。また、入力手段５を操作することによって、位相をずらす周波数範囲と角度とを変更することができ、種々の用途に応じた音質の調整が可能になる。
【００２７】
また、音質の調整を行う上で、音声信号の所定の周波数範囲における位相をずらす角度は±１８０度未満の範囲内であれば十分である。
【００２８】
また、フィルタ１にＦＩＲフィルタを用いることにより、振幅特性と位相特性とを独立して設定することができるので、位相をずらす所定の周波数範囲における振幅が不変であるように構成されていてもよい。
【００２９】
また、上記のＦＩＲフィルタを用いた場合には、位相特性を振幅特性と独立して変更可能となるため、従来不可能であった音響調整が可能となる。特に、振幅を変化させずに位相を進めることにより、位相を進めた帯域の音がより強調された聞こえ方になり、かつ騒々しく聞こえなくなるなど従来では実現できなかった調整ができるようになる。さらに、振幅特性の変更と組み合わせて位相特性を変更できるため、それぞれに効果的な設定が可能となり、より複雑で自由な音響調整が可能となる。
【００３０】
以下に、位相特性と振幅特性とを独立して変更する構成例について説明する。
【００３１】
ここで、フィルタ１には、ＦＩＲフィルタ（以下、「ＦＩＲフィルタ１Ａ」と明記する）と、フィルタ係数設定手段として機能する演算制御部（以下、「演算制御部１Ｂ」と明記する）とを有するものとする。ＦＩＲフィルタ１Ａは、入力端子ＩＮからのデジタル音声信号を入力し、フィルタ処理が施された信号を出力端子ＯＵＴへ出力する。
【００３２】
入力手段５では、操作者によって、例えばＦＩＲフィルタ１Ａに設定される振幅特性及び位相特性を指定するための操作が行われる。入力手段５は、後述の第１〜第３構成例の場合には、例えば、液晶ディスプレイとペンタブレットとを統合した液晶ペンタブレット等を用いて構成される。この場合、振幅特性と位相特性を入力するための表示画面が表示され、ポインティングデバイスとしてスタイラスペンを用いる。
【００３３】
以下、各構成例について述べるが、各構成例では、入力手段５及び演算制御部１Ｂの構成が異なり、他の構成については同じである。
【００３４】
（第１構成例）
図３は、第１構成例の入力手段５の表示画面を示す図である。
【００３５】
この図３に示された表示画面３１の場合、その画面の左側下部領域が振幅特性を指定するための振幅特性指定領域であり、左側上部領域が指定される振幅特性を振幅特性曲線３４で表示する振幅特性表示領域である。また、画面の右側下部領域が位相特性を指定するための位相特性指定領域であり、右側上部領域が指定される位相特性を位相特性曲線３５で表示する位相特性表示領域である。
【００３６】
振幅特性指定領域には、例えば可聴周波数（２０Ｈｚ〜２０ｋＨｚ）の範囲内で予め設定された複数の周波数の各々におけるゲイン（利得）を設定するためのゲイン調整用操作子３２が表示されている。同様に、位相特性指定領域には、上記の可聴周波数の範囲内で予め設定された複数の周波数の各々における位相を設定するための位相調整用操作子３３が表示されている。例えば、上記の予め設定された複数の周波数が１０個とした場合には、図中、左から右へ並んだゲイン調整用操作子３２及び位相調整用操作子３３のそれぞれは、左から順に、例えば、３１Ｈｚ、６２Ｈｚ、１２５Ｈｚ、２５０Ｈｚ、５００Ｈｚ、１ｋＨｚ、２ｋＨｚ、４ｋＨｚ、８ｋＨｚ、１６ｋＨｚの周波数のものに対応する。また、これらの周波数の数値については、表示画面３１に表示されるが、図３ではその図示を省略している。
【００３７】
操作者はスタイラスペンを用いて、所望の振幅特性となるように各ゲイン調整用操作子３２の位置を上下に移動（ドラッグ）させて各周波数におけるゲインを設定する。同様に、所望の位相特性となるように各位相調整用操作子３３の位置を上下に移動させて各周波数における位相を設定する。そして、各ゲイン調整用操作子３２の位置に対応する振幅特性曲線３４が表示され、各位相調整用操作子３３の位置に対応する位相特性曲線３５が表示される。なお、各ゲイン調整用操作子３２，各位相調整用操作子３３は、一度も設定が行われていない初期状態としては、例えば、各周波数におけるゲインあるいは位相が０に設定された状態として表示される。
【００３８】
以上に述べた図３に示す表示画面３１が表示される入力手段５では、例えば表示画面３１上の「確定」ボタン（図示せず）をスタイラスペンで触れることにより、各ゲイン調整用操作子３２の位置を示す表示情報と、各位相調整用操作子３３の位置を示す表示情報とを演算制御部１Ｂへ出力する。これにより、ＦＩＲフィルタ１Ａに設定しようとする振幅特性と位相特性とが入力手段５によって指定される。演算制御部１Ｂでは、各ゲイン調整用操作子３２の表示情報を振幅特性情報に変換するとともに各位相調整用操作子３３の表示情報を位相特性情報に変換した後、それらの振幅特性情報と位相特性情報とに基づき、逆ＦＦＴ等の演算を行うことによりフィルタ係数ｈｋを求め、それをＦＩＲフィルタ１Ａに設定する。なお、各ゲイン調整用操作子３２の表示情報は、広い間隔の周波数（前述のように例えば３１Ｈｚ、６２Ｈｚ、・・・・、８ｋＨｚ、１６ｋＨｚ）についての情報であるため、演算制御部１Ｂでは、これらの周波数のすき間の周波数に関する振幅情報（ゲイン）を補間して振幅特性情報を求める。同様に、各位相調整用操作子３３の表示情報も、広い間隔の周波数（前述のように例えば３１Ｈｚ、６２Ｈｚ、・・・・、８ｋＨｚ、１６ｋＨｚ）についての情報であるため、演算制御部１Ｂでは、これらの周波数のすき間の周波数に関する位相情報を補間して位相特性情報を求める。
【００３９】
なお、一旦ゲインあるいは位相の設定を行い、次に設定を変更するとき、その変更前には、各ゲイン調整用操作子３２，各位相調整用操作子３３はその直前に設定されたときの状態である変更前の状態が表示される。その状態から各操作子３２，３３を上下に移動させて設定を変更する。このとき、各操作子３２，３３の位置に対応して表示される振幅特性曲線３４及び位相特性曲線３５の他、変更前の振幅特性曲線３４ａ及び位相特性曲線３５ａを表示しておくようにしてもよい。これにより、変更前の振幅特性及び位相特性と新たに設定しようとする振幅特性及び位相特性との比較が容易になる。
【００４０】
なお、各ゲイン調整用操作子３２，各位相調整用操作子３３は、上記のように画面上に表示されるものではなく、操作者が実際に手で操作するハードウェアで構成されるようにしてもよい。
【００４１】
なお、振幅特性情報とは、例えば振幅特性曲線３４のグラフで示されるような振幅特性を表す数値列のデータであり、位相特性情報とは、例えば位相特性曲線３５のグラフで示されるような位相特性を表す数値列のデータである。
【００４２】
（第２、第３構成例）
図４は、第２構成例の入力手段５の表示画面を示す図である。
【００４３】
この図４に示された表示画面４１の場合、その上半分の上部領域が振幅特性を指定するための領域（振幅特性表示領域）であり、下半分の下部領域が位相特性を指定するための領域（位相特性表示領域）である。
【００４４】
上部の振幅特性表示領域には、例えば可聴周波数の範囲内において設定される振幅特性を示すためのライン（振幅特性線）４２が表示される。このライン４２は、初期状態として、例えば、可聴周波数の全範囲においてゲインが０に設定された状態である。あるいは、これ以外の状態に設定されてあってもよい。操作者はスタイラスペンを用いて、ライン４２の任意の箇所をドラッグすることにより所望の振幅特性を示すライン４２を形成する。
【００４５】
下部の位相特性表示領域には、例えば可聴周波数の範囲内において設定される位相特性を示すためのライン（位相特性線）４３が表示される。このライン４３は、初期状態として、例えば、可聴周波数の全範囲において位相が０に設定された状態である。あるいは、これ以外の状態に設定されてあってもよい。操作者はスタイラスペンを用いて、ライン４３の任意の箇所をドラッグすることにより所望の位相特性を示すライン４３を形成する。
【００４６】
なお、上記の第２構成例の入力手段５では、任意のライン４２，４３を変形させて所望の特性を示すライン４２，４３を形成するようにしたが、例えば、初期状態の表示画面４１を、図４においてライン４２，４３以外のものが表示され、ライン４２，４３のみが表示されていない画面とし、操作者はスタイラスペンを用いて所望の特性を示すライン４２，４３を描画するようにしてもよい（これを、第３構成例の入力手段５とする）。
【００４７】
以上に述べた図４に示す表示画面４１が表示される第２及び第３構成例の入力手段５では、例えば表示画面４１上の「確定」ボタン（図示せず）をスタイラスペンで触れることにより、ライン４２の表示情報と、ライン４３の表示情報とを演算制御部１Ｂへ出力する。これにより、ＦＩＲフィルタ１Ａに設定しようとする振幅特性と位相特性とが入力手段５によって指定される。演算制御部１Ｂでは、ライン４２の表示情報を振幅特性情報に変換するとともにライン４３の表示情報を位相特性情報に変換した後、それらの振幅特性情報と位相特性情報とに基づき、逆ＦＦＴ等の演算を行うことによりフィルタ係数ｈｋを求め、それをＦＩＲフィルタ１Ａに設定する。
【００４８】
上記の図３、図４に示すような表示画面を表示するように構成された第１、第２及び第３構成例の入力手段５を用いた場合には、操作者は、表示画面上で所望するＦＩＲフィルタ１Ａの振幅特性と位相特性とを容易に指定することが可能になる。
【００４９】
（第４構成例）
次に、第４構成例について説明する。この第４構成例では、演算制御部１Ｂには、例えば演算制御部１Ｂを構成するマイクロコンピュータの内部メモリからなる記憶部を有しており、ここにＦＩＲフィルタ１Ａに関する複数の振幅特性情報と複数の位相特性情報とを予め格納（記憶）しておく。そして、入力手段５を操作することによって、記憶部に格納されたものの中から所望の振幅特性情報及び位相特性情報を選択するように構成されている。この第４構成例の場合の入力手段５には、例えば、複数の振幅特性のそれぞれに対応する振幅特性指定ボタン及び複数の位相特性のそれぞれに対応する位相特性指定ボタンが設けられている。これらの指定ボタンは、押しボタン式等の実際に人間の手で選択操作するものであってもよいし、タッチパネルに表示され、指やスタイラスペンで触れることにより選択されるものであってもよく、いずれの場合も振幅特性及び位相特性を指定するための操作が容易である。入力手段５では、選択された振幅特性指定ボタンに対応する振幅特性の選択信号と、選択された位相特性指定ボタンに対応する位相特性の選択信号とを演算制御部１Ｂへ出力する。演算制御部１Ｂでは、それぞれの選択信号に対応する振幅特性情報と位相特性情報とを記憶部から読み出し、それらの振幅特性情報と位相特性情報とに基づき、逆ＦＦＴ等の演算を行うことによりフィルタ係数ｈｋを求め、それをＦＩＲフィルタ１Ａに設定する。
【００５０】
また、上記の第４構成例において、演算制御部１Ｂ内の記憶部の記憶している情報の書き換えができるように入力手段５を構成しておいてもよい。例えば、演算制御部１Ｂの記憶部には、増幅器３やスピーカ４により構成される音響出力装置に応じたＦＩＲフィルタ１Ａの振幅特性情報と位相特性情報とが記憶されている場合に、音響出力装置を他の音響出力装置に変更した場合に、前記他の音響出力装置に応じたＦＩＲフィルタ１Ａの位相特性情報及び振幅特性情報に書き換えるようにすればよい。この場合、入力手段５に、フラッシュメモリ、ＣＤ等の記録媒体の情報を読み取る読取り手段を設けておき、記録媒体から読み取った新しい振幅特性情報と位相特性情報を記憶部に格納（記憶）するように構成すればよい。記録媒体は、音響調整装置あるいは音響装置の製造会社等から配布されたものであってもよいし、ユーザがパソコン（パーソナルコンピュータ）を操作して音響調整装置あるいは音響装置の製造会社等のホストコンピュータから、新しい振幅特性情報と位相特性情報のファイルをダウンロードして記録媒体に記録したものであってもよい。
【００５１】
（第５構成例）
次に、第５構成例について説明する。この第５構成例では、入力手段５には、例えば、ＦＩＲフィルタ１Ａの初期状態（例えばゲインが０）あるいは直前に設定された振幅特性から、予め設定された複数の周波数の各々におけるゲインを増加するための振幅増加周波数指定ボタン及びゲインを減少するための振幅減少周波数指定ボタンが各周波数に対応して設けられているとともに、ＦＩＲフィルタ１Ａの初期状態（例えば位相が０）あるいは直前に設定された位相特性から、予め設定された複数の周波数の各々における位相を進めるための位相進相周波数指定ボタン及び位相を遅らせるための位相遅相周波数指定ボタンが各周波数に対応して設けられている。上記の予め設定された複数の周波数が１０個とした場合には、振幅増加周波数指定ボタン、振幅減少周波数指定ボタン、位相進相周波数指定ボタン及び位相遅相周波数指定ボタンがそれぞれ１０個ずつ設けられ、それぞれの指定ボタンは、例えば、３１Ｈｚ、６２Ｈｚ、１２５Ｈｚ、２５０Ｈｚ、５００Ｈｚ、１ｋＨｚ、２ｋＨｚ、４ｋＨｚ、８ｋＨｚ、１６ｋＨｚの周波数のものに対応する。これらの指定ボタンは、押しボタン式等の実際に人間の手で選択操作するものであってもよいし、タッチパネルに表示され、指やスタイラスペンで触れることにより選択されるものであってもよい。
【００５２】
この場合、入力手段５では、ある振幅増加周波数指定ボタンがｎ回選択操作されると、選択された振幅増加周波数指定ボタンに対応する選択信号を演算制御部１Ｂへｎ回出力し、ある振幅減少周波数指定ボタンがｎ回選択操作されると、選択された振幅減少周波数指定ボタンに対応する選択信号を演算制御部１Ｂへｎ回出力する。また、ある位相進相周波数指定ボタンがｎ回選択操作されると、選択された位相進相周波数指定ボタンに対応する選択信号を演算制御部１Ｂへｎ回出力し、ある位相遅相周波数指定ボタンがｎ回選択操作されると、選択された位相遅相周波数指定ボタンに対応する選択信号を演算制御部１Ｂへｎ回出力する。
【００５３】
演算制御部１Ｂでは、直前に設定されているＦＩＲフィルタ１Ａの振幅特性に対して、選択信号がｎ回出力された振幅増加周波数指定ボタンに対応する周波数のゲインを所定値×ｎの分増加させるとともに、選択信号がｎ回出力された振幅減少周波数指定ボタンに対応する周波数のゲインを所定値×ｎの分減少させることにより変更後の振幅特性を定める情報を求め、その情報に基づいて振幅特性情報を求める。上記所定値は、予め定められた値である。各振幅増加周波数指定ボタン及び振幅減少周波数指定ボタンの選択信号によって得られる変更後の振幅特性を定める情報は、広い間隔の周波数（前述のように例えば３１Ｈｚ、６２Ｈｚ、・・・・、８ｋＨｚ、１６ｋＨｚ）についての情報であるため、演算制御部１Ｂでは、これらの周波数のすき間の周波数に関する振幅情報（ゲイン）を補間して振幅特性情報を求める。
【００５４】
また、演算制御部１Ｂでは、直前に設定されているＦＩＲフィルタ１Ａの位相特性に対して、選択信号がｎ回出力された位相進相周波数指定ボタンに対応する周波数の位相を所定角度×ｎの分進めるとともに、選択信号がｎ回出力された位相遅相周波数指定ボタンに対応する周波数の位相を所定角度×ｎの分遅らせることにより変更後の位相特性を定める情報を求め、その情報に基づいて位相特性情報を求める。上記所定角度は、予め定められた値である。各位相進相周波数指定ボタン及び位相遅相周波数指定ボタンの選択信号によって得られる変更後の位相特性を定める情報は、広い間隔の周波数（前述のように例えば３１Ｈｚ、６２Ｈｚ、・・・・、８ｋＨｚ、１６ｋＨｚ）についての情報であるため、演算制御部１Ｂでは、これらの周波数のすき間の周波数に関する位相情報を補間して位相特性情報を求める。
【００５５】
さらに、演算制御部１Ｂでは、上記のようにして求めた振幅特性情報と位相特性情報とに基づき、逆ＦＦＴ等の演算を行うことによりフィルタ係数ｈｋを求め、それをＦＩＲフィルタ１Ａに設定する。
【００５６】
この第５構成例の入力手段５を用いた場合、振幅を変更したい周波数に対応する振幅増加周波数指定ボタン及び振幅減少周波数指定ボタンを押す等の簡単な操作によってＦＩＲフィルタ１Ａの振幅特性を変更することができる。また、位相を変更したい周波数に対応する位相進相周波数指定ボタン及び位相遅相周波数指定ボタンを押す等の簡単な操作によってＦＩＲフィルタ１Ａの位相特性を変更することができる。
【００５７】
（第６構成例）
図５は、第６構成例の入力手段５の表示画面を示す図である。
【００５８】
ここでは、入力手段５は、例えば、表示画面１０１を有する液晶ディスプレイと、キーボード及びマウス等を用いて構成される。
【００５９】
この図５に示された表示画面１０１の場合、その画面の左側領域に振幅特性曲線１０２等を表示する振幅特性表示領域が配置され、画面の右側領域に位相特性曲線１０３等を表示する位相特性表示領域が配置されている。
【００６０】
振幅特性表示領域の下方には、設定ポイント番号（Ｎｏ．）、中心周波数（ｆ）、周波数帯域幅（Ｑ）、中心周波数におけるゲイン（Ｇ）を指定するためのそれぞれの操作ボタン１０４ａ、１０４ｂ、１０５ａ、１０５ｂ、１０６ａ、１０６ｂ、１０７ａ、１０７ｂと、指定された値が表示されるボックス１０４、１０５、１０６、１０７とが表示されている。同様に、位相特性表示領域の下方には、設定ポイント番号（Ｎｏ．）、中心周波数（ｆ）、周波数帯域幅（Ｑ）、中心周波数における角度（Ｄ）を指定するためのそれぞれの操作ボタン１０８ａ、１０８ｂ、１０９ａ、１０９ｂ、１１０ａ、１１０ｂ、１１１ａ、１１１ｂと、指定された値が表示されるボックス１０８、１０９、１１０、１１１とが表示されている。
【００６１】
操作者は、所望の振幅特性となるように、各設定ポイント番号（例えば、１、２、３、・・・）ごとに、中心周波数、周波数帯域幅、中心周波数におけるゲインを設定する。操作者は、例えばマウスを用いて、増加ボタン１０４ａ及び減少ボタン１０４ｂをクリックすることで、ボックス１０４に表示される設定ポイント番号を増加及び減少させることができる。また、増加ボタン１０５ａ及び減少ボタン１０５ｂをクリックすることで、ボックス１０５に表示される中心周波数を増加及び減少させることができる。また、増加ボタン１０６ａ及び減少ボタン１０６ｂをクリックすることで、ボックス１０６に表示される周波数帯域幅を増加及び減少させることができる。また、増加ボタン１０７ａ及び減少ボタン１０７ｂをクリックすることで、ボックス１０７に表示されるゲインを増加及び減少させることができる。
【００６２】
入力手段５では、以上の操作により設定される各設定ポイント番号ごとの、中心周波数、周波数帯域幅及びゲインからなる各振幅設定情報を、演算制御部１Ｂへ出力する。演算制御部１Ｂでは、各振幅設定情報に基づいて振幅特性情報を求める。この振幅特性情報に基づいて振幅特性曲線１０２を表示するための表示情報を作成し、入力手段５の表示画面１０１に振幅特性曲線１０２を表示させる。
【００６３】
また操作者は、所望の位相特性となるように、各設定ポイント番号（例えば、１、２、３、・・・）ごとに、中心周波数、周波数帯域幅、中心周波数における角度を設定する。操作者は、例えばマウスを用いて、増加ボタン１０８ａ及び減少ボタン１０８ｂをクリックすることで、ボックス１０８に表示される設定ポイント番号を増加及び減少させることができる。また、増加ボタン１０９ａ及び減少ボタン１０９ｂをクリックすることで、ボックス１０９に表示される中心周波数を増加及び減少させることができる。また、増加ボタン１１０ａ及び減少ボタン１１０ｂをクリックすることで、ボックス１１０に表示される周波数帯域幅を増加及び減少させることができる。また、増加ボタン１１１ａ及び減少ボタン１１１ｂをクリックすることで、ボックス１１１に表示される角度を増加及び減少させることができる。
【００６４】
入力手段５では、以上の操作により設定される各設定ポイント番号ごとの、中心周波数、周波数帯域幅及び角度からなる各位相設定情報を、演算制御部１Ｂへ出力する。演算制御部１Ｂでは、各位相設定情報に基づいて位相特性情報を求める。この位相特性情報に基づいて位相特性曲線１０３を表示するための表示情報を作成し、入力手段５の表示画面１０１に位相特性曲線１０３を表示させる。
【００６５】
さらに、演算制御部１Ｂでは、求めた振幅特性情報と位相特性情報とに基づき、逆ＦＦＴ等の演算を行うことによりフィルタ係数ｈｋを求め、それをＦＩＲフィルタ１Ａに設定する。
【００６６】
また、設定を変更するための操作中に、その変更前の振幅特性曲線１０２ａ及び位相特性曲線１０３ａを表示しておくようにしてもよい。これにより、変更前の振幅特性及び位相特性と新たに設定しようとする振幅特性及び位相特性との比較が容易になる。
【００６７】
また、設定を変更するための操作中に、表示画面１０１の振幅特性表示領域に目標とする振幅特性曲線を表示し、位相特性表示領域に目標とする位相特性曲線を表示しておくようにしてもよい。これにより、目標とする振幅特性曲線及び目標とする位相特性曲線と重なるように振幅特性曲線及び位相特性曲線を作成することで、これらの作成が容易になる。
【００６８】
なお、振幅特性を設定するための操作ボタン（１０４ａ、１０４ｂ）、（１０５ａ、１０５ｂ）、（１０６ａ、１０６ｂ）、（１０７ａ、１０７ｂ）及び、位相特性を設定するための操作ボタン（１０８ａ、１０８ｂ）、（１０９ａ、１０９ｂ）、（１１０ａ、１１０ｂ）、（１１１ａ、１１１ｂ）に代えて、例えば図５の操作子３２、３３で示されるようなスライドバー等を用いてもよい。さらに、これらの操作ボタンやスライドバー等の操作子は、上記のように画面上に表示されるものではなく、操作者が実際に手で操作する、ハードウェアで構成されるようにしてもよい。
【００６９】
（第７構成例）
図６は、第７構成例の入力手段５の表示画面を示す図である。
【００７０】
この図６に示された表示画面１３１の場合、その上部領域が指定する振幅特性を示す振幅特性曲線を作成するための振幅特性描画領域であり、下部領域が指定する位相特性を示す位相特性曲線を作成するための位相特性描画領域である。
【００７１】
入力手段５は、例えば、表示画面１３１を有する液晶ディスプレイと、キーボード及びマウス等を用いて構成される。
【００７２】
入力手段５によって操作開始の指令を与えると、表示画面１３１の振幅特性描画領域において、周波数軸上の所定の周波数の位置に、予め定めた形状及び大きさの山形の振幅特性曲線１４１が表示されるとともに、位相特性描画領域においても同様に、予め定めた形状及び大きさの山形の位相特性曲線１５１が表示される。
【００７３】
振幅特性曲線１４１は、２つの操作子１４２、１４３を有している。操作子１４２は振幅特性曲線１４１の中央のピーク位置に設けられており、操作子１４３は振幅特性曲線１４１の中途の位置に設けられている。操作子１４２は、マウスによってカーソルを操作子１４２に合わせて画面の上下方向及び左右方向に移動（ドラッグ）させることができる。また、操作子１４３は、マウスによってカーソルを操作子１４３に合わせて画面の左右方向に移動（ドラッグ）させることができる。
【００７４】
操作子１４２を上下方向に移動させることで振幅特性曲線１４１のピークのゲインを調整することができる。例えば、振幅特性曲線１４１の操作子１４２を上方向にドラッグすると、例えば振幅特性曲線１４１ａで示すように相似形の状態に拡大し、マウスの釦を離すと、即ちドロップすると、その位置で拡大を停止させる。また、操作子１４２を下方にドラッグすると、図示していないが、振幅特性曲線１４１を相似形の状態で縮小する。
【００７５】
また、操作子１４２を左右方向に移動させることで振幅特性曲線１４１のピークのゲインとなる周波数（中心周波数）を変更することができる。例えば拡大された振幅特性曲線１４１ａの操作子１４２を右方向にドラッグすると、例えば振幅特性曲線１４１ｂで示すように振幅特性曲線１４１ａが水平方向に移動し、ドロップした点で移動が停止する。
【００７６】
操作子１４３を左右方向に移動させることで振幅特性曲線１４１の周波数帯域幅を変更することができる。例えば最大ゲイン及びその周波数が移動された振幅特性曲線１４１ｂの操作子１４３を右方向に向かって水平にドラッグすると、振幅特性曲線１４１ｃとして示すように、振幅特性曲線の傾きが緩やかになる。即ち、周波数帯域幅が大きくなる。また、操作子１４３を左方向にドラッグすると、振幅特性曲線１４１の傾きは急峻となる。即ち、周波数帯域幅が小さくなる。このような傾きの変更は、ドロップするまで継続する。
【００７７】
以上のような操作によって振幅特性曲線を作成することにより、１つの設定ポイントにおける、中心周波数、周波数帯域幅及びゲインからなる振幅設定情報が決められる。また、以上のような操作を例えば複数回繰り返すことにより、例えば可聴周波数範囲における振幅特性曲線を作成（描画）し、それに対応する複数の設定ポイントの各々における、中心周波数、周波数帯域幅及び中心周波数におけるゲインからなる振幅設定情報が決められる。
【００７８】
また、位相特性曲線１５１も、２つの操作子１５２、１５３を有している。操作子１５２は、位相特性曲線１５１の中央のピーク位置に設けられており、操作子１５３は位相特性曲線１５１の中途の位置に設けられている。操作子１５２は、マウスによってカーソルを操作子１５２に合わせて画面の上下方向及び左右方向に移動（ドラッグ）させることができる。また、操作子１５３は、マウスによってカーソルを操作子１５３に合わせて画面の左右方向に移動（ドラッグ）させることができる。
【００７９】
操作子１５２を上下方向に移動させることで位相特性曲線１５１のピークの角度（位相）を調整することができる。例えば、位相特性曲線１５１の操作子１５２を上方向にドラッグすると、例えば位相特性曲線１５１ａで示すように相似形の状態に拡大し、ドロップすると、その位置で拡大を停止させる。また、操作子１５２を下方にドラッグすると、図示していないが、位相特性曲線１５１を相似形の状態で縮小する。
【００８０】
また、操作子１５２を左右方向に移動させることで位相特性曲線１５１のピークの角度となる周波数（中心周波数）を変更することができる。例えば拡大された位相特性曲線１５１ａの操作子１５２を右方向にドラッグすると、例えば位相特性曲線１５１ｂで示すように位相特性曲線１５１ａが水平方向に移動し、ドロップした点で移動が停止する。
【００８１】
操作子１５３を左右方向に移動させることで位相特性曲線１５１の周波数帯域幅を変更することができる。例えば最大角度及びその周波数が移動された位相特性曲線１５１ｂの操作子１５３を右方向に向かって水平にドラッグすると、位相特性曲線１５１ｃとして示すように、位相特性曲線の傾きが緩やかになる。即ち、周波数帯域幅が大きくなる。また、操作子１５３を左方向にドラッグすると、位相特性曲線１５１の傾きは急峻となる。即ち、周波数帯域幅が小さくなる。このような傾きの変更は、ドロップするまで継続する。
【００８２】
以上のような操作によって位相特性曲線を作成することにより、１つの設定ポイントにおける、中心周波数、周波数帯域幅及びゲインからなる位相設定情報が決められる。また、以上のような操作を例えば複数回繰り返すことにより、例えば可聴周波数範囲における位相特性曲線を作成（描画）し、それに対応する複数の設定ポイントの各々における、中心周波数、周波数帯域幅及び中心周波数における角度からなる位相設定情報が決められる。
【００８３】
入力手段５では、以上の操作により設定された各設定ポイントにおける振幅設定情報及び各設定ポイントにおける位相設定情報を、演算制御部１Ｂへ出力する。演算制御部１Ｂでは、各振幅設定情報に基づいて振幅特性情報を求めるとともに各位相設定情報に基づいて位相特性情報を求め、求めた振幅特性情報と位相特性情報とに基づき、逆ＦＦＴ等の演算を行うことによりフィルタ係数ｈｋを求め、それをＦＩＲフィルタ１Ａに設定する。
【００８４】
また、設定を変更するための操作中に、表示画面１３１の振幅特性描画領域に変更前の振幅特性曲線を表示し、位相特性描画領域に変更前の位相特性曲線を表示しておくようにしてもよい。これにより、変更前の振幅特性及び位相特性と新たに設定しようとする振幅特性及び位相特性との比較が容易になる。
【００８５】
また、設定を変更するための操作中に、表示画面１３１の振幅特性描画領域に目標とする振幅特性曲線を表示し、位相特性描画領域に目標とする位相特性曲線を表示しておくようにしてもよい。これにより、目標とする振幅特性曲線及び目標とする位相特性曲線と重なるように振幅特性曲線及び位相特性曲線を作成することで、これらの作成が容易になる。この場合、目標とする振幅特性曲線及び目標とする位相特性曲線を表示するための情報は、例えば、演算制御部１Ｂの記憶部に格納されている。
【００８６】
（第８構成例）
図７は、第８構成例の入力手段５の表示画面を示す図である。
【００８７】
ここでは、入力手段５は、例えば、表示画面１６１を有する液晶ディスプレイと、キーボード及びマウス等を用いて構成される。
【００８８】
この図７に示された表示画面１６１の場合、それぞれ表形式の振幅特性設定ファイル及び位相特性設定ファイルが表示される。これら両方のファイルの設定ポイント番号（Ｎｏ．）は、１、２、３、・・・の順に予め表示されるようになっている。
【００８９】
操作者は、例えばキーボード等を操作して、振幅特性設定ファイルの中心周波数（ｆ）、周波数帯域幅（Ｑ）、中心周波数におけるゲイン（Ｇ）の欄に所望の値を入力する。同様に、位相特性設定ファイルの中心周波数（ｆ）、周波数帯域幅（Ｑ）、中心周波数における角度（Ｄ）の欄に所望の値を入力する。
【００９０】
入力手段５では、振幅特性設定ファイルに入力された各設定ポイント番号ごとの、中心周波数、周波数帯域幅及びゲインからなる各振幅設定情報と、位相特性設定ファイルに入力された各設定ポイント番号ごとの、中心周波数、周波数帯域幅及び角度からなる各位相設定情報とを、演算制御部１Ｂへ出力する。演算制御部１Ｂでは、各振幅設定情報に基づいて振幅特性情報を求めるとともに、各位相設定情報に基づいて位相特性情報を求める。さらに、演算制御部１Ｂでは、求めた振幅特性情報と位相特性情報とに基づき、逆ＦＦＴ等の演算を行うことによりフィルタ係数ｈｋを求め、それをＦＩＲフィルタ１Ａに設定する。
【００９１】
なお、この第８構成例では、入力手段５にて、振幅特性設定ファイル及び位相特性設定ファイルを作成するようにしたが、例えばパソコン等を用いて振幅特性設定ファイル及び位相特性設定ファイルを作成し、フィルタにアップロードするようにすれば、フィルタの入力手段５に表示画面１６１を表示するためのディスプレイ等を備える必要がない。
【００９２】
また、パソコンや設定用機器において、前述の図５や図６のような表示画面を表示できる構成とし、第６、第７構成例と同様にして設定される振幅設定情報及び位相設定情報をファイル化して振幅特性設定ファイル及び位相特性設定ファイルを作成し、それらをフィルタにアップロードするようにしてもよい。
【００９３】
また、演算制御部１Ｂの記憶部に、複数の振幅特性に対応する複数の振幅特性設定ファイルの情報（複数の振幅特性特定情報）と、複数の位相特性に対応する複数の位相特性設定ファイルの情報（複数の位相特性特定情報）とを予め格納しておき、先述の第４構成例のように、入力手段５を、記憶部に格納されたものの中から所望の振幅特性特定情報及び位相特性特定情報を選択するように構成してもよい。この場合、演算制御部１Ｂでは、入力手段５の操作に応じて振幅特性特定情報と位相特性特定情報とを記憶部から読み出し、読み出した振幅特性特定情報（１または複数の振幅設定情報からなる情報）に基づいて振幅特性情報を求めるとともに、位相特性特定情報（１または複数の位相設定情報からなる情報）に基づいて位相特性情報を求め、さらに、振幅特性情報と位相特性情報とに基づいてフィルタ係数ｈｋを求め、それをＦＩＲフィルタ１Ａに設定する。
【００９４】
以上、第１〜第８構成例のいずれの場合でも、設定する周波数範囲において、例えば位相特性を平坦にするためのボタン、メニュー等を設けておいてもよい。これにより平坦な位相特性（例えば設定する全周波数範囲において角度が０）の設定が容易になる。同様に、設定する周波数範囲において、例えば振幅特性を平坦にするためのボタン、メニュー等を設けておいてもよい。これにより平坦な振幅特性（設定する周波数範囲において振幅が一定）の設定が容易になる。
【００９５】
本実施形態では、フィルタ係数の設定により振幅特性と位相特性とをそれぞれ個別的に設定することができるＦＩＲフィルタ１Ａを用い、そのＦＩＲフィルタ１Ａの振幅特性と位相特性とを個別的に設定することにより聴取者の好みや種々の用途等に応じてスピーカ４から出力される音質の調整を容易に行うことができる。特に、ある周波数の位相を遅らせる、あるいは進めることにより、スピーカ４から出力される音質の調整を行うことが可能になる。
【００９６】
上記のように本実施形態では、音響調整にＦＩＲフィルタ１Ａを用いている。つまりデジタル信号処理の技術を用いている。
【００９７】
そして、上記のような入力手段５を用いてＦＩＲフィルタ１Ａの位相特性を設定することができるようにしているので、これまでの音響調整方法では実現することのできなかったような種々の音響調整が可能となる。上記のようにＦＩＲフィルタ１Ａを用いているため、任意の位相特性を設定することができる。つまり、各周波数毎に任意の位相特性を持たせることができる。しかも、任意の周波数範囲においてのみ、位相特性を調整するということも可能である。例えば、１００Ｈｚから２００Ｈｚまでの周波数範囲においてのみ、入力された音声信号に対して位相の変化を施し、他の周波数範囲においては位相を変化させないようにすることもできる。
【００９８】
また、上記のような入力手段５を用いてＦＩＲフィルタ１Ａの位相特性と振幅特性とを設定することができるようにしているので、位相特性と振幅特性の設定を、それぞれ独立して行うことができる。つまり、ＦＩＲフィルタ１Ａに既に設定されている振幅特性を変更させることなく、位相特性のみを既に設定されている特性（位相特性）から別の特性（位相特性）に変更させることもできる。
【００９９】
また、これとは反対に、ＦＩＲフィルタ１Ａに既に設定されている位相特性を変更させることなく、振幅特性のみを既に設定されている特性（振幅特性）から別の特性（振幅特性）に変更させることもできる。
【０１００】
さらに、ＦＩＲフィルタ１Ａに既に設定されている位相特性と振幅特性の両方を、別の特性に変更させることもできる。
【０１０１】
また、ＦＩＲフィルタ１Ａに対して、周波数によらず一定のゲインを与えるような振幅特性を設定しておき、音声信号の位相特性のみに変化を与えるように、ＦＩＲフィルタ１Ａの位相特性を設定することもできるし、ＦＩＲフィルタ１Ａに設定する位相特性を種々に変更して行くこともできる。
【０１０２】
特に、振幅を変化させずに位相を進めることにより、位相を進めた帯域の音がより強調された聞こえ方になり、かつ騒々しく聞こえなくなるなど従来では実現できなかった調整ができるようになる。さらに、振幅特性の変更と組み合わせて位相特性を変更できるため、それぞれに効果的な設定が可能となり、より複雑で自由な音響調整が可能となる。
【０１０３】
上記説明から、当業者にとっては、本発明の多くの改良や他の実施形態が明らかである。従って、上記説明は、例示としてのみ解釈されるべきであり、本発明を実行する最良の態様を当業者に教示する目的で提供されたものである。本発明の精神を逸脱することなく、その構造及び／又は機能の詳細を実質的に変更できる。
【産業上の利用可能性】
【０１０４】
本発明に係るフィルタは、音質の調整を行うためのフィルタ等として有用である。
【符号の説明】
【０１０５】
１  フィルタ
２  Ｄ／Ａ変換器
３  増幅器
４  スピーカ
【図１】
0005611316.tif 000002
【図２】
0005611316.tif 000003
【図３】
0005611316.tif 000004
【図４】
0005611316.tif 000005
【図５】
0005611316.tif 000006
【図６】
0005611316.tif 000007
【図７】
0005611316.tif 000008